(57)【特許請求の範囲】
【請求項１】
端末と、前記端末に対し、自局における電力情報を通知する基地局と、を有してなる無線通信システムであって、
前記端末は、
ハンドオーバ時に、前記基地局からの電力情報の通知周期に基づいて、電力情報が通知される次回のタイミングを予測する予測部と、
ハンドオーバ時に、前記予測されたタイミングの前に、ハンドオーバ先の基地局への切り替えを行う切替部と、を有する無線通信システム。
【請求項２】
前記基地局は、前記端末に対し、自局における電力情報を定期的に下りフレームに挿入して送信するものであり、
前記予測部は、
ハンドオーバ時に、前記基地局から次回受信する、電力情報が挿入されている下りフレームのフレーム番号を予測し、
前記切替部は、
ハンドオーバ時に、前記予測されたフレーム番号の下りフレームの受信前に、ハンドオーバ先の基地局への切り替えを行う、請求項１に記載の無線通信システム。
【請求項３】
前記基地局は、前記端末に対し、自局における電力情報を定期的に下りフレームに挿入して送信するものであり、
前記予測部は、
ハンドオーバ時に、前記基地局から次回受信する、電力情報が挿入されている下りフレームのフレーム番号を予測し、
前記切替部は、
ハンドオーバ時に、前記予測されたフレーム番号から所定数を減算したフレーム番号の下りフレームの受信前に、ハンドオーバ先の基地局への切り替えを行う、請求項１に記載の無線通信システム。
【請求項４】
前記端末は、
ハンドオーバ先の基地局へ切り替えてから所定の期間が経過しても、電力情報が挿入されている下りフレームを受信できない場合、ハンドオーバ先の基地局の電力情報に基づく上りデータの送信電力制御の実行を一時的に停止させるレンジング制御部をさらに有する、請求項３に記載の無線通信システム。
【請求項５】
前記電力情報は、雑音電力および干渉電力に関する情報である、請求項１から４のいずれか１項に記載の無線通信システム。
【請求項６】
基地局から、当該基地局における電力情報が通知される端末であって、
ハンドオーバ時に、前記基地局からの電力情報の通知周期に基づいて、電力情報が通知される次回のタイミングを予測する予測部と、
ハンドオーバ時に、前記予測されたタイミングの前に、ハンドオーバ先の基地局への切り替えを行う切替部と、を有する端末。
【請求項７】
前記基地局からは、当該基地局における電力情報が定期的に下りフレームに挿入されて送信され、
前記予測部は、
ハンドオーバ時に、前記基地局から次回受信する、電力情報が挿入されている下りフレームのフレーム番号を予測し、
前記切替部は、
ハンドオーバ時に、前記予測されたフレーム番号の下りフレームの受信前に、ハンドオーバ先の基地局への切り替えを行う、請求項６に記載の端末。
【請求項８】
前記基地局からは、当該基地局における電力情報が定期的に下りフレームに挿入されて送信され、
前記予測部は、
ハンドオーバ時に、前記基地局から次回受信する、電力情報が挿入されている下りフレームのフレーム番号を予測し、
前記切替部は、
ハンドオーバ時に、前記予測されたフレーム番号から所定数を減算したフレーム番号の下りフレームの受信前に、ハンドオーバ先の基地局への切り替えを行う、請求項６に記載の端末。
【請求項９】
ハンドオーバ先の基地局へ切り替えてから所定の期間が経過しても、電力情報が挿入されている下りフレームを受信できない場合、ハンドオーバ先の基地局の電力情報に基づく上りデータの送信電力制御の実行を一時的に停止させるレンジング制御部をさらに有する、請求項８に記載の端末。
【請求項１０】
前記電力情報は、雑音電力および干渉電力に関する情報である、請求項６から９のいずれか１項に記載の端末。
【請求項１１】
基地局から、当該基地局における電力情報が通知される端末による無線通信方法であって、
ハンドオーバ時に、前記基地局からの電力情報の通知周期に基づいて、電力情報が通知される次回のタイミングを予測する予測ステップと、
ハンドオーバ時に、前記予測されたタイミングの前に、ハンドオーバ先の基地局への切り替えを行う切替ステップと、を有する無線通信方法。
【請求項１２】
前記基地局からは、当該基地局における電力情報が定期的に下りフレームに挿入されて送信され、
前記予測ステップでは、
ハンドオーバ時に、前記基地局から次回受信する、電力情報が挿入されている下りフレームのフレーム番号を予測し、
前記切替ステップでは、
ハンドオーバ時に、前記予測されたフレーム番号の下りフレームの受信前に、ハンドオーバ先の基地局への切り替えを行う、請求項１１に記載の無線通信方法。
【請求項１３】
前記基地局からは、当該基地局における電力情報が定期的に下りフレームに挿入されて送信され、
前記予測ステップでは、
ハンドオーバ時に、前記基地局から次回受信する、電力情報が挿入されている下りフレームのフレーム番号を予測し、
前記切替ステップでは、
ハンドオーバ時に、前記予測されたフレーム番号から所定数を減算したフレーム番号の下りフレームの受信前に、ハンドオーバ先の基地局への切り替えを行う、請求項１１に記載の無線通信方法。
【請求項１４】
ハンドオーバ先の基地局へ切り替えてから所定の期間が経過しても、電力情報が挿入されている下りフレームを受信できない場合、ハンドオーバ先の基地局の電力情報に基づく上りデータの送信電力制御の実行を一時的に停止させるレンジング制御ステップをさらに有する、請求項１３に記載の無線通信方法。
【請求項１５】
前記電力情報は、雑音電力および干渉電力に関する情報である、請求項１１から１４のいずれか１項に記載の無線通信方法。
【請求項１６】
基地局から、当該基地局における電力情報が通知される端末に、
ハンドオーバ時に、前記基地局からの電力情報の通知周期に基づいて、電力情報が通知される次回のタイミングを予測する予測手順と、
ハンドオーバ時に、前記予測されたタイミングの前に、ハンドオーバ先の基地局への切り替えを行う切替手順と、を実行させるプログラム。
【請求項１７】
前記基地局からは、当該基地局における電力情報が定期的に下りフレームに挿入されて送信され、
前記予測手順では、
ハンドオーバ時に、前記基地局から次回受信する、電力情報が挿入されている下りフレームのフレーム番号を予測し、
前記切替手順では、
ハンドオーバ時に、前記予測されたフレーム番号の下りフレームの受信前に、ハンドオーバ先の基地局への切り替えを行う、請求項１６に記載のプログラム。
【請求項１８】
前記基地局からは、当該基地局における電力情報が定期的に下りフレームに挿入されて送信され、
前記予測手順では、
ハンドオーバ時に、前記基地局から次回受信する、電力情報が挿入されている下りフレームのフレーム番号を予測し、
前記切替手順では、
ハンドオーバ時に、前記予測されたフレーム番号から所定数を減算したフレーム番号の下りフレームの受信前に、ハンドオーバ先の基地局への切り替えを行う、請求項１６に記載のプログラム。
【請求項１９】
前記端末に、
ハンドオーバ先の基地局へ切り替えてから所定の期間が経過しても、電力情報が挿入されている下りフレームを受信できない場合、ハンドオーバ先の基地局の電力情報に基づく上りデータの送信電力制御の実行を一時的に停止させるレンジング制御手順をさらに実行させる、請求項１８に記載のプログラム。
【請求項２０】
前記電力情報は、雑音電力および干渉電力に関する情報である、請求項１６から１９のいずれか１項に記載のプログラム。
【発明の詳細な説明】
【技術分野】
【０００１】
本発明は、無線通信システムにおいて、端末から基地局へ送信される上りデータの送信電力を制御する技術に関する。
【背景技術】
【０００２】
近年、無線通信システムの多元接続方式として、ＯＦＤＭＡ（Orthogonal Frequency Division Multiple Access：直交周波数分割多元接続）方式が注目を集めている。
【０００３】
ＯＦＤＭＡ方式は、周波数方向をサブキャリア、時間方向を時間スロットでそれぞれ区切り、データの送信元に対して、サブキャリアとそのサブキャリアを使用可能な時間スロットとを割り当てる方式であり、例えば、ＷｉＭＡＸ（Worldwide Interoperability for Microwave Access）で採用されている。
【０００４】
ＯＦＤＭＡ方式では、上りリンク（Up Link：UL）の場合、基地局と端末との間で、端末における送信電力および送信タイミングや、端末に割り当る周波数の調整が行われる。この調整はレンジング（Ranging）と呼ばれている（特許文献１）。レンジングは、端末の基地局への初期エントリ（例えば、端末がハンドオーバする場合のハンドオーバ先の基地局へのエントリ）時に行われ、その後も周期的に行われる。
【０００５】
このうち、送信電力のレンジングにおいては、端末は、上りリンクおよび下りリンク（Down Link：DL）の伝搬ロス（Pass Loss）をほぼ同じであると仮定し、下りリンクの伝搬ロスの情報を用いて、上りデータの送信電力を計算する。このような送信電力制御は、開ループ電力制御（Open loop power control）と呼ばれており、本発明では、上りリンクにおいて、開ループ電力制御を行うことを前提とする。
【０００６】
ここで、上りリンクにおける開ループ電力制御について詳細に説明する。
【０００７】
図５および図６に示すように、基地局ＢＳは、ステップＳ５０１において、端末ＭＳに対し、自局における雑音電力および干渉電力（Ｎ＋Ｉ値）の他、自局における下りデータの送信電力、自局における変調方式の所要ＣＩＮＲ（Carrier to Interference plus Noise Ratio）値の情報を事前に通知する。
【０００８】
ここで、雑音電力とは、自局における受信機内部で発生する熱雑音の電力のことであり、干渉電力とは、自局におけるそれ以外の外乱（例えば、隣接セルからの電波、妨害電波等）の電力のことである。
【０００９】
次に、端末ＭＳは、ステップＳ５０２において、基地局ＢＳから受信した下りデータ（バーストデータ）のＣＩＮＲと所要ＣＩＮＲとの差分を基に、下りリンクと上りリンクとの伝搬ロスの差分を見積もり、その伝搬ロスの差分から、上りデータの送信電力を計算する。その結果、送信電力の計算式は、次の数１のように表わされることになる。
【００１０】
【数１】
0004337006.tif 000002
【００１１】
ここで、Ｌは、端末ＭＳで見積もった下りリンクの伝搬ロス、Ｃ／Ｎは、基地局ＢＳにおける変調方式の所要ＣＩＮＲ値、ＮＩは、基地局ＢＳで計測した雑音電力および干渉電力、１０ｌｏｇ１０（Ｒ）は、繰り返し符号化（repetition coding）の補正値、Ｏｆｆｓｅｔ＿ＭＳperMSは、端末ＭＳ毎の補正値、Ｏｆｆｓｅｔ＿ＢＳperMSは、基地局ＢＳ毎の補正値である。
【００１２】
その後、端末ＭＳは、ステップＳ５０３において、基地局ＢＳに対し、上記で計算された送信電力にて上りデータ（バーストデータ）を送信する。
【特許文献１】特開２００６−００５９４６号公報
【発明の開示】
【発明が解決しようとする課題】
【００１３】
しかし、上りリンクにおける開ループ電力制御においては、無線環境の違いから基地局ＢＳ毎に雑音電力および干渉電力が異なることに起因して、端末ＭＳが、ハンドオーバ（Hand-Over）時に、初期送信電力を正しく計算することができないという課題がある。
【００１４】
以下、この課題について詳述する。ここでは、図７に示すように、端末ＭＳが、基地局ＢＳ１から基地局ＢＳ２へハンドオーバするものとする。また、基地局ＢＳ１，ＢＳ２における雑音電力および干渉電力を表すＮ＋Ｉ値が、それぞれａ，ｂであるものとする。
【００１５】
図８に示すように、基地局ＢＳ１は、自局配下の端末ＭＳに対し、Ｎ＋Ｉ値ａを定期的に下りフレームに挿入してブロードキャストで送信する定期送信を行っている。
【００１６】
一方、基地局ＢＳ２も同様に、自局配下の端末ＭＳに対し、Ｎ＋Ｉ値ｂを定期的に下りフレームに挿入してブロードキャストで送信する定期送信を行っている。
【００１７】
ここで、端末ＭＳが、ステップＳ２０１において、サービス中の基地局ＢＳ１（Serving BS）に対し、基地局ＢＳ２をハンドオーバ先の基地局（Target BS）とするハンドオーバ要求メッセージを送信したとする。
【００１８】
すると、ステップＳ２０２において、基地局ＢＳ１と基地局ＢＳ２との間で、ハンドオーバ準備フェーズを実行する。
【００１９】
ハンドオーバ準備フェーズにおいては、基地局ＢＳ１では、基地局ＢＳ２に対し、ハンドオーバする端末ＭＳの情報を通知する処理を行い、基地局ＢＳ２では、端末ＭＳに対するデータパスを上位ネットワーク（ＷｉＭＡＸの場合は、アクセスサービスネットワーク）との間で生成する処理を行う。
【００２０】
ハンドオーバ準備フェーズが完了すると、基地局ＢＳ１は、ステップＳ２０３において、端末ＭＳに対し、ハンドオーバ要求メッセージに対するハンドオーバ要求応答メッセージを送信し、端末ＭＳは、ステップＳ２０４において、基地局ＢＳ１に対し、ハンドオーバ実行通知メッセージを送信する。
【００２１】
以降、端末ＭＳは、ステップＳ２０５において、基地局ＢＳ１から基地局ＢＳ２への切り替えを行い、ステップＳ２０６において、基地局ＢＳ２との間で、レンジングを実行する。このレンジングは、特にハンドオーバレンジングと呼ばれている。
【００２２】
さらに、その後、端末ＭＳと基地局ＢＳ２との間で、ステップＳ２０７において、ネットワーク再エントリ処理を実行する。
【００２３】
ネットワーク再エントリ処理においては、基地局ＢＳ２では、自局を介して端末ＭＳが上位ネットワーク（ＷｉＭＡＸの場合は、アクセスサービスネットワーク）に再エントリする処理を行う。
【００２４】
しかし、ステップＳ２０５で基地局ＢＳ２への切り替えが行われてから、ステップＳ２０６でハンドオーバレンジングが開始されるまでの間に、端末ＭＳは、基地局ＢＳ２からＮ＋Ｉ値ｂを受信しておらず、Ｎ＋Ｉ値ｂを知らない。
【００２５】
そのため、端末ＭＳは、ハンドオーバレンジングにおいて、上りデータの初期送信電力を数１により計算する場合、基地局ＢＳ１のＮ＋Ｉ値ａを使用せざるを得ない。
【００２６】
この場合、初期送信電力は、以降に周期的に行われるレンジングにおいて、その後に基地局ＢＳ２から受信するＮ＋Ｉ値ｂを用いて計算される送信電力と比べて、（ａ−ｂ）分ずれてしまう。したがって、ハンドオーバレンジングにおいて計算された初期送信電力は、正しく計算されたものとはならない。
【００２７】
そこで、本発明の目的は、上記の課題を解決することができる無線通信システム、端末、無線通信方法、プログラムを提供することにある。
【課題を解決するための手段】
【００２８】
本発明の無線通信システムは、
端末と、前記端末に対し、自局における電力情報を通知する基地局と、を有してなる無線通信システムであって、
前記端末は、
ハンドオーバ時に、前記基地局からの電力情報の通知周期に基づいて、電力情報が通知される次回のタイミングを予測する予測部と、
ハンドオーバ時に、前記予測されたタイミングの前に、ハンドオーバ先の基地局への切り替えを行う切替部と、を有する。
【００２９】
本発明の端末は、
基地局から、当該基地局における電力情報が通知される端末であって、
ハンドオーバ時に、前記基地局からの電力情報の通知周期に基づいて、電力情報が通知される次回のタイミングを予測する予測部と、
ハンドオーバ時に、前記予測されたタイミングの前に、ハンドオーバ先の基地局への切り替えを行う切替部と、を有する。
【００３０】
本発明の無線通信方法は、
基地局から、当該基地局における電力情報が通知される端末による無線通信方法であって、
ハンドオーバ時に、前記基地局からの電力情報の通知周期に基づいて、電力情報が通知される次回のタイミングを予測する予測ステップと、
ハンドオーバ時に、前記予測されたタイミングの前に、ハンドオーバ先の基地局への切り替えを行う切替ステップと、を有する。
【００３１】
本発明のプログラムは、
基地局から、当該基地局における電力情報が通知される端末に、
ハンドオーバ時に、前記基地局からの電力情報の通知周期に基づいて、電力情報が通知される次回のタイミングを予測する予測手順と、
ハンドオーバ時に、前記予測されたタイミングの前に、ハンドオーバ先の基地局への切り替えを行う切替手順と、を実行させる。
【発明の効果】
【００３２】
本発明によれば、端末は、ハンドオーバ時に、基地局からの電力情報の通知周期に基づいて、電力情報が通知される次回のタイミングを予測し、予測されたタイミングの前に、ハンドオーバ先の基地局への切り替えを行う。
【００３３】
したがって、端末は、ハンドオーバ先の基地局から電力情報が次回通知される前に、ハンドオーバ先の基地局への切り替えを行うことができるため、ハンドオーバ先の基地局の電力情報を用いて、初期送信電力を正しく計算することができるという効果が得られる。
【発明を実施するための最良の形態】
【００３４】
以下に、本発明を実施するための最良の形態について図面を参照して説明する。
【００３５】
なお、以下の実施形態では、無線通信システムが、ＷｉＭＡＸの無線通信システムである場合を例に挙げて説明するが、本発明はこれに限定されない。
【００３６】
図１に示すように、本実施形態の無線通信システムは、基地局ＢＳ１，ＢＳ２と、端末ＭＳと、を有している。なお、図１においては、説明を簡単にするため、基地局ＢＳと端末ＭＳの数を、それぞれ２つと１つとしたが、本発明はこれに限定されない。
【００３７】
基地局ＢＳ１は、無線通信部１１と、ネットワーク通信部１２と、基地局動作部１３と、を有している。図示していないが、基地局ＢＳ２も、基地局ＢＳ１と同様の手段を有している。
【００３８】
無線通信部１１は、端末ＭＳとの間で無線通信を行う。
【００３９】
ネットワーク通信部１２は、ネットワークを介して他の基地局ＢＳとの間でネットワーク通信を行う。
【００４０】
基地局動作部１３は、図示していないが、ＷｉＭＡＸの無線通信システムにおいて一般的に用いられる基地局と同等の手段を有している。例えば、図８において、端末ＭＳに対し、自局における雑音電力および干渉電力の情報を定期送信する手段、端末ＭＳとの間で各種メッセージを送受信する手段、他の基地局ＢＳとの間でハンドオーバ準備フェーズを実行する手段、端末ＭＳとの間でレンジングを実行する手段、および端末ＭＳとの間でネットワーク再エントリ処理を実行する手段等である。ただし、こうした手段は、本発明の本質的部分ではなく、周知であるので、詳細な説明を省略する。
【００４１】
なお、本実施形態では、基地局ＢＳ１，ＢＳ２が同期して雑音電力および干渉電力の情報を定期送信していることを前提としている。
【００４２】
図１に示すように、端末ＭＳは、無線通信部２１と、端末動作部２２と、を有している。
【００４３】
無線通信部２１は、基地局ＢＳ１，ＢＳ２との間で無線通信を行う。
【００４４】
端末動作部２２は、通知タイミング予測部２３と、基地局切替部２４と、レンジング制御部２５と、を有している。
【００４５】
通知タイミング予測部２３は、ハンドオーバ時に、サービス中の基地局ＢＳ（例えば、ＢＳ１）からの雑音電力および干渉電力の通知周期に基づいて、ハンドオーバ先の基地局ＢＳ（例えば、ＢＳ２）から雑音電力および干渉電力が通知される次回のタイミングを予測する。
【００４６】
基地局切替部２４は、ハンドオーバ時に、通知タイミング予測部２３で予測されたタイミングの前に、ハンドオーバ先の基地局ＢＳへの切り替えを行う。
【００４７】
レンジング制御部２５は、端末動作部２２内で開ループ電力制御を実行する送信電力制御部（不図示）の制御を行う。
【００４８】
その他、端末動作部２２は、図示していないが、ＷｉＭＡＸの無線通信システムにおいて一般的に用いられる端末と同等の手段を有している。例えば、上述した送信電力制御部の他、図８において、サービス中の基地局ＢＳとの間で各種メッセージを送受信する手段等である。ただし、こうした手段は、本発明の本質的部分ではなく、周知であるので、詳細な説明を省略する。
【００４９】
以下、本実施形態の無線通信システムのハンドオーバ時の動作について説明する。ここでは、図７に示すように、端末ＭＳが、基地局ＢＳ１から基地局ＢＳ２へハンドオーバするものとする。また、基地局ＢＳ１，ＢＳ２における雑音電力および干渉電力を表すＮ＋Ｉ値が、それぞれａ，ｂであるものとする。
【００５０】
図２に示すように、基地局ＢＳ１，ＢＳ２は、それぞれＮ＋Ｉ値ａ，ｂの定期送信を実行している。
【００５１】
端末ＭＳは、以降のステップＳ２０５でハンドオーバ先の基地局ＢＳ２への切替を行うまでの間は、サービス中の基地局ＢＳ１からＮ＋Ｉ値ａを受信している。
【００５２】
そのため、端末ＭＳの通知タイミング予測部２３は、ステップＳ１０１において、サービス中の基地局ＢＳ１からのＮ＋Ｉ値ａの通知周期をラーニングする。
【００５３】
なお、本実施形態では、基地局ＢＳ１，ＢＳ２が同期してＮ＋Ｉ値を定期送信することを前提としているため、基地局ＢＳ１からのＮ＋Ｉ値ａの通知周期と同時に、ハンドオーバ先の基地局ＢＳ２からのＮ＋Ｉ値ｂの通知周期もラーニングすることができる。
【００５４】
次に、通知タイミング予測部２３は、ラーニングされた通知周期に基づいて、基地局ＢＳ２からＮ＋Ｉ値ｂが通知される次回のタイミングを予測する。
【００５５】
その後、端末ＭＳの基地局切替部２４は、ステップＳ２０５において、通知タイミング予測部２３で予測されたタイミングの前に、基地局ＢＳ２への切り替えを行う。
【００５６】
これにより、端末ＭＳは、基地局ＢＳ２への切替後に、基地局ＢＳ２からＮ＋Ｉ値ｂを受信することができるようになる。
【００５７】
ここで、端末ＭＳのハンドオーバ時の動作についてより詳細に説明する。
【００５８】
（動作例１）
図３に示すように、通知タイミング予測部２３は、ステップＳ３０１において、基地局ＢＳ１からＮ＋Ｉ値ａを受信すると、ステップＳ３０２において、今回受信したＮ＋Ｉ値ａが挿入されていた下りフレームのフレーム番号ｘを記憶する。
【００５９】
次に、通知タイミング予測部２３は、ステップＳ３０３において、前回受信したＮ＋Ｉ値ａが挿入されていた下りフレームのフレーム番号ｙを記憶しているか判定し、記憶していなければ、ステップＳ３０４において、フレーム番号ｘを、前回受信したＮ＋Ｉ値ａのフレーム番号ｙに設定し、ステップＳ３０１の処理に戻る。
【００６０】
一方、ステップＳ３０３において、フレーム番号ｙを記憶していれば、通知タイミング予測部２３は、ステップＳ３０５において、フレーム番号の差分ｚ（＝ｘ−ｙ）を求め、差分ｚに下りフレームの送信周期を乗算したものを、基地局ＢＳ１，ＢＳ２におけるＮ＋Ｉ値の通信周期としてラーニングする。さらに、通知タイミング予測部２３は、ハンドオーバ先の基地局ＢＳ２からＮ＋Ｉ値ｂが受信される次回のタイミングを、フレーム番号ｘ＋ｚの下りフレームを受信するタイミングと予測する。
【００６１】
その後、基地局切替部２４は、ステップＳ３０６において、ＨＯ準備フェーズが完了しているか判定し、完了していれば、ステップＳ３０７において、フレーム番号ｘ＋ｚの下りフレームを受信する前（例えば、フレーム番号ｘ＋ｚ−１の下りフレームを受信してから、フレーム番号ｘ＋ｚの下りフレームを受信するまでの間）に、基地局ＢＳ２への切り替えを行う。
【００６２】
（動作例２）
本動作例は、ステップＳ３０１〜Ｓ３０６までの処理については、図３の動作例１と同様であるが、以降の処理が異なる。
【００６３】
図４に示すように、基地局切替部２４は、ステップＳ４０１において、基地局ＢＳ２からのＮ＋Ｉ値ｂが、予測されたフレーム番号ｘ＋ｚの下りフレームよりも早く送信される可能性を考慮して、フレーム番号ｘ＋ｚ−ｗ（ｗは予め決められた数）の下りフレームを受信する前（例えば、フレーム番号ｘ＋ｚ−ｗ−１の下りフレームを受信してから、フレーム番号ｘ＋ｚ−ｗの下りフレームを受信するまでの間）に、基地局ＢＳ２への切り替えを行う。したがって、本動作例では、図３の動作例１と比較して、ｗフレームだけ早く基地局ＢＳ２への切替を行うことになる。
【００６４】
以降、レンジング制御部２５は、ステップＳ４０２において、フレーム番号ｘ＋ｚ＋ｗの下りフレームを受信するまで待機した後、ステップＳ４０３において、基地局ＢＳ２からＮ＋Ｉ値ｂを受信しているか判定する。なお、待機期間は、基地局ＢＳ２への切り替えが行われてから２ｗフレーム分としたが、本発明はこれに限定されない。
【００６５】
ステップＳ４０３において、基地局ＢＳ２からＮ＋Ｉ値ｂを受信していれば、レンジング制御部２５は、ステップＳ４０５において、端末動作部２２内の送信電力制御部（不図示）に対し、開ループ電力制御で送信電力のハンドオーバレンジングを実行させる。この場合、基地局ＢＳ２からＮ＋Ｉ値ｂを受信しているため、初期送信電力を正しく計算することができる。
【００６６】
一方、ステップＳ４０３において、基地局ＢＳ２からＮ＋Ｉ値ｂを受信していなければ、レンジング制御部２５は、ステップＳ４０４において、端末動作部２２内の送信電力制御部に対し、開ループ電力制御を無効化した上で、ハンドオーバレンジングを実行させる。なお、開ループ電力制御の無効化とは、開ループ電力制御の実行を一時的に停止させることを意味する。この場合、送信電力制御部は、基地局ＢＳ２からの指示に基づき上りデータの送信電力を制御することになる。このような送信電力制御は、閉ループ電力制御（Closed loop power control）と呼ばれている。この場合、初期送信電力と、以降に周期的に行われるレンジングにおいて計算される送信電力との間でずれが生じることは回避される。
【００６７】
上述したように本実施形態においては、端末ＭＳは、ハンドオーバ時に、基地局ＢＳからの雑音電力および干渉電力の通知周期に基づいて、雑音電力および干渉電力が通知される次回のタイミングを予測し、予測されたタイミングの前に、ハンドオーバ先の基地局ＢＳへの切り替えを行う。
【００６８】
したがって、端末ＭＳは、ハンドオーバ先の基地局ＢＳから雑音電力および干渉電力が次回通知される前に、ハンドオーバ先の基地局ＢＳへの切り替えを行うことができるため、ハンドオーバ先の基地局ＢＳの雑音電力および干渉電力の情報を用いて、初期送信電力を正しく計算することができる。
【００６９】
具体的には、本実施形態においては、端末ＭＳは、基地局ＢＳから次回受信する、雑音電力および干渉電力の情報が挿入されている下りフレームのフレーム番号を予測し、予測されたフレーム番号またはそのフレーム番号から所定数を減算したフレーム番号の下りフレームを受信する前に、ハンドオーバ先の基地局ＢＳへの切り替えを行う。
【００７０】
このうち、後者の場合、すなわち予測されたフレーム番号から所定数を減算したフレーム番号の下りフレームを受信する前に切り替えを行う場合には、ハンドオーバ先の基地局ＢＳから、雑音電力および干渉電力の情報が予測よりも早く送信されたとしても、これに対応することができる。
【００７１】
また、本実施形態においては、ハンドオーバ先の基地局ＢＳへの切り替えを行ってから一定期間、ハンドオーバ先の基地局ＢＳから雑音電力および干渉電力の情報を受信しない場合、開ループ電力制御の実行を一時的に停止させる。この場合、初期送信電力と、以降に周期的に行われるレンジングにおいて計算される送信電力との間でずれが生じることを回避することができる。
【００７２】
なお、本発明の端末ＭＳにて行われる方法は、コンピュータに実行させるためのプログラムに適用してもよい。また、そのプログラムを記憶媒体に格納することも可能であり、ネットワークを介して外部に提供することも可能である。
【図面の簡単な説明】
【００７３】
【図１】本発明の一実施形態の無線通信システムの構成を示す図である。
【図２】本発明の一実施形態の無線通信システムにおけるハンドオーバ時の動作の一例を説明するシーケンス図である。
【図３】本発明の一実施形態の端末におけるハンドオーバ時の動作の一例を説明するシーケンス図である。
【図４】本発明の一実施形態の端末におけるハンドオーバ時の動作の他の例を説明するシーケンス図である。
【図５】上りリンクにおける開ループ電力制御を説明する図である。
【図６】上りリンクにおける開ループ電力制御を説明するシーケンス図である。
【図７】無線通信システムにおけるハンドオーバの一例を説明する図である。
【図８】関連する無線通信システムにおけるハンドオーバ時の動作の一例を説明するシーケンス図である。
【符号の説明】
【００７４】
ＢＳ１，ＢＳ２    基地局
ＭＳ    端末
１１    無線通信部
１２    ネットワーク通信部
１３    基地局動作部
２１    無線通信部
２２    端末動作部
２３    通知タイミング予測部
２４    基地局切替部
２５    レンジング制御部
【要約】
【課題】端末が、ハンドオーバ時に、上りデータの初期送信電力を正しく計算できるようにする。
【解決手段】本発明の無線通信システムは、端末と、前記端末に対し、自局における電力情報を通知する基地局と、を有する。前記端末は、ハンドオーバ時に、前記基地局からの電力情報の通知周期に基づいて、電力情報が通知される次回のタイミングを予測する予測部と、ハンドオーバ時に、前記予測されたタイミングの前に、ハンドオーバ先の基地局への切り替えを行う切替部と、を有する。
【選択図】図１【図１】
0004337006.tif 000003
【図２】
0004337006.tif 000004
【図３】
0004337006.tif 000005
【図４】
0004337006.tif 000006
【図５】
0004337006.tif 000007
【図６】
0004337006.tif 000008
【図７】
0004337006.tif 000009
【図８】
0004337006.tif 000010